(57)【特許請求の範囲】
【請求項１】
ホームページを参照するときにユーザ端末から入力されたＵＲＬをインターネットを介して受信することを可能とする受信手段と、
前記受信手段がユーザ端末から送信された前記ＵＲＬをインターネットを介して受信すると、前記受信したＵＲＬをＵＲＬデータベースにユーザ毎に蓄積するとともに、前記ＵＲＬを前記ＵＲＬデータベースに蓄積する際にそのＵＲＬのカテゴリーを分類するＵＲＬ蓄積エンジンと、
前記ＵＲＬデータベースにユーザ毎に蓄積されている前記ＵＲＬからユーザの検索頻度が高い前記ＵＲＬを抽出するＵＲＬ分析エンジンと、
前記ＵＲＬ分析エンジンで抽出された前記ＵＲＬを検索頻度が高い順に前記カテゴリー毎にマッピングすることにより、パーソナル・ポータルサイトを作成するパーソナル・ポータルサイト作成エンジンとを備え、
前記ＵＲＬ蓄積エンジンは、カテゴリーのアクセス頻度を含むカテゴリーデータを前記ＵＲＬデータベースにユーザ毎に蓄積し、
前記ＵＲＬ分析エンジンは、前記カテゴリーデータにおけるアクセス頻度の数値が最も大きいカテゴリーをユーザ指向カテゴリーとして抽出し、
前記パーソナル・ポータルサイト作成エンジンは、
前記パーソナル・ポータルサイトを作成する際に、前記マッピングしたＵＲＬに示されるホームページにアクセスするとともに、ユーザ端末から前記ＵＲＬを入力するための編集ＵＲＬ領域を含むパーソナル・ポータルサイトを作成し、
且つ前記ＵＲＬ分析エンジンで抽出された前記ユーザ指向カテゴリーに対応した企業広告データベースに蓄積されている広告データを、前記パーソナル・ポータルサイトにマッピングし、
前記受信手段は、前記ユーザ端末によってパーソナル・ポータルサイトからホームページへのアクセス操作が行われると、前記ユーザ端末から送信された前記ホームページに対応するＵＲＬを、インターネットを介して受信する
ことを特徴とするポータルサイト提供端末装置。
【請求項２】
パーソナル・ポータルサイト作成エンジンによるパーソナル・ポータルサイトの作成時に、企業広告データベースの広告データを前記パーソナル・ポータルサイトに掲載した回数を掲載カウンタでカウントし、また、前記パーソナル・ポータルサイト上の広告データのヒット数をカウンタでカウントする広告カウンタデータベースを備え、
前記パーソナル・ポータルサイト作成エンジンは、マッピングした広告データを参照するとともに、ユーザ端末から広告データにヒットした旨を入力するためのバナー広告領域を含むパーソナル・ポータルサイトを作成し、
受信手段は、前記ユーザ端末によってパーソナル・ポータルサイトから前記マッピングした広告データへの参照操作が行われると、前記ユーザ端末から送信された広告データにヒットした旨のデータを、インターネットを介して受信し、
前記広告カウンタデータベースは、前記受信手段がユーザ端末から広告データにヒットした旨のデータを受信すると、前記パーソナル・ポータルサイト上の広告データのヒット数をカウントする
請求項１記載のポータルサイト提供端末装置。
【発明の詳細な説明】
【０００１】
【発明の属する技術分野】
この発明は、多くのユーザにアクセスしてもらうよう魅力のあるコンテンツやサービスを充実させたインターネットのＷｅｂサイト（ポータルは正面玄関の意味で、Ｗｅｂページを見ようとするユーザがまず入るサイト）であるポータルサイトを提供するポータルサイト提供方法及びポータルサイト提供端末装置に関するものである。
【０００２】
【従来の技術】
従来、ユーザが、インターネット経由でホームページ（Ｗｅｂページ）を参照しようとするとき、その参照先であるホームページのＵＲＬ（Uniform Resource Locator）が既知の場合は、Ｗｅｂブラウザ上でその該当するＵＲＬを投入してホームページにアクセスする。
【０００３】
また、特定の参照先のホームページの参照頻度が高い場合、ＷｅｂブラウザのＵＲＬ登録機能などを用いてユーザが意図的にＵＲＬを登録しておくか、又はＷｅｂブラウザが時系列的に近傍のＵＲＬをスタック的に登録しておき、ユーザが、該当するホームページの参照時に、これら登録機能から参照頻度の高い特定のホームページのＵＲＬを指定してホームページにアクセスする。
【０００４】
一方、参照先のホームページは特定しているがそのＵＲＬが未知の場合、又は参照先のホームページ自体が曖昧で参照先のホームページのカテゴリー程度しか特定されていない場合、ユーザは、ポータルサイトにアクセスし、ポータルサイト上の検索エンジンでキーワードなどを入力して参照先のホームページのＵＲＬを検索することができる。ポータルサイト上の検索エンジンでは、キーワードに対応するホームページの一覧を表示し、ユーザが参照を希望するホームページのＵＲＬなどの情報を提供する。
【０００５】
このようなＵＲＬ検索ホームページであるポータルサイトは、各種の事業者によって提供されており、これらの事業者は、ポータルサイト上に掲載される企業広告の広告契約料金を得ることにより、ＵＲＬ検索ホームページ提供ビジネスとして成立している。
【０００６】
【発明が解決しようとする課題】
しかし、上記のようなポータルサイトの検索エンジンは汎用的なものであるため、ＵＲＬの検索範囲が広く、ユーザのＵＲＬ絞り込みに時間がかかってしまうという課題があった。
【０００７】
また、上記したように、ポータルサイトを提供する事業者は、ポータルサイト上の企業広告を掲載することにより広告収入を得るものであるが、ポータルサイト上の掲載広告は固定であるため、個々のユーザの指向に合った（マッチした）効果的な広告が掲載されているとは限らず、広告掲載企業としても広告料金に見合った広告宣伝効果が得られているとは限らないという課題があった。
【０００８】
また、ポータルサイト上の企業広告の契約料金も定額（固定）であり高額であったので、例えば購買層（消費者層）の広い大企業などの広告しか掲載できないなどの広告掲載企業が制限されるという課題があった。
【０００９】
この発明は、上記のような課題を解決するためになされたものであり、ユーザに対して、ユーザ個々の指向に合ったリンクのＵＲＬを自動的にダイナミックに配置したポータルサイトを提供することにより、ユーザのＵＲＬ絞り込み時間を短縮することができるポータルサイト提供方法及びポータルサイト提供端末装置を得ることを目的とする。
【００１０】
また、この発明は、ユーザに対して、ユーザ個々の指向に合った企業広告を自動的にダイナミックに配置したポータルサイトを提供することにより、企業広告の広告宣伝効果を向上させることができるポータルサイト提供方法及びポータルサイト提供端末装置を得ることを目的とする。
【００１１】
また、この発明は、定額制でなく従量制の企業広告契約料金を決定することができるポータルサイト提供方法及びポータルサイト提供端末装置を得ることを目的とする。
【００１２】
【課題を解決するための手段】
本発明に係るポータルサイト提供端末装置は、ホームページを参照するときにユーザ端末から入力されたＵＲＬをインターネットを介して受信することを可能とする受信手段と、前記受信手段がユーザ端末から送信された前記ＵＲＬをインターネットを介して受信してＵＲＬデータベースにユーザ毎に蓄積するとともに、前記ＵＲＬを前記ＵＲＬデータベースに蓄積する際にそのＵＲＬのカテゴリーを分類するＵＲＬ蓄積エンジンと、前記ＵＲＬデータベースにユーザ毎に蓄積されている前記ＵＲＬからユーザの検索頻度が高い前記ＵＲＬを抽出するＵＲＬ分析エンジンと、前記ＵＲＬ分析エンジンで抽出された前記ＵＲＬを検索頻度が高い順に前記カテゴリー毎にマッピングすることにより、パーソナル・ポータルサイトを作成するパーソナル・ポータルサイト作成エンジンとを備え、前記ＵＲＬ蓄積エンジンは、カテゴリーのアクセス頻度を含むカテゴリーデータを前記ＵＲＬデータベースにユーザ毎に蓄積し、前記ＵＲＬ分析エンジンは、前記カテゴリーデータにおけるアクセス頻度の数値が最も大きいカテゴリーをユーザ指向カテゴリーとして抽出し、前記パーソナル・ポータルサイト作成エンジンは、前記パーソナル・ポータルサイトを作成する際に、前記マッピングしたＵＲＬに示されるホームページにアクセスするとともに、ユーザ端末から前記ＵＲＬを入力するための編集ＵＲＬ領域を含むパーソナル・ポータルサイトを作成し、且つ前記ＵＲＬ分析エンジンで抽出された前記ユーザ指向カテゴリーに対応した企業広告データベースに蓄積されている広告データを、前記パーソナル・ポータルサイトにマッピングし、前記受信手段は、前記ユーザ端末によってパーソナル・ポータルサイトからホームページへのアクセス操作が行われると、前記ユーザ端末から送信された前記ホームページに対応するＵＲＬを、インターネットを介して受信することを特徴とする。
【００１３】
パーソナル・ポータルサイト作成エンジンによるパーソナル・ポータルサイトの作成時に、企業広告データベースの広告データを前記パーソナル・ポータルサイトに掲載した回数を掲載カウンタでカウントし、また、前記パーソナル・ポータルサイト上の広告データのヒット数をカウンタでカウントする広告カウンタデータベースを備え、前記パーソナル・ポータルサイト作成エンジンは、マッピングした広告データを参照するとともに、ユーザ端末から広告データにヒットした旨を入力するためのバナー広告領域を含むパーソナル・ポータルサイトを作成し、受信手段は、前記ユーザ端末によってパーソナル・ポータルサイトから前記マッピングした広告データへの参照操作が行われると、前記ユーザ端末から送信された広告データにヒットした旨のデータを、インターネットを介して受信し、前記広告カウンタデータベースは、前記受信手段がユーザ端末から広告データにヒットした旨のデータを受信すると、前記パーソナル・ポータルサイト上の広告データのヒット数をカウントするのが好ましい。
【００１９】
【発明の実施の形態】
以下、この発明の実施の一形態を説明する。
図１は、本発明のポータルサイト提供システムの構成を示すブロック図である。図１において、ユーザ端末１は、ユーザ所有のパーソナルコンピュータなどの端末であって、このユーザ端末１は、一般電話回線、ＩＳＤＮ（Integrated Services Digital Network ）などのディジタル電話回線、無線電話回線などのアクセス網２に接続されている。
【００２０】
ＩＳＰ（インターネットサービスプロバイダ）３は、インターネットに接続する通信回線をユーザ端末１に提供する事業者の端末であり、このＩＳＰ３は、アクセス網２及びインターネット４に接続されている。
【００２１】
事業者端末（ポータルサイト提供端末装置）５は、個々のユーザの指向にマッチしたユーザ毎のポータルサイト（以下、パーソナル・ポータルサイト５７という）をユーザに提供するポータルサイト提供事業者の端末であり、この事業者端末５は、インターネット４に接続されている。事業者端末５は、ＵＲＬ蓄積エンジン５１、ＵＲＬ−ＤＢ（ＵＲＬデータベース）５２、ＵＲＬ分析エンジン５３、企業広告ＤＢ（企業広告データベース）５４、及び広告カウンタＤＢ（広告カウンタデータベース）５５を備えている。
【００２２】
ＵＲＬ蓄積エンジン５１は、ユーザのホームページ参照時にユーザ端末１から発行される（即ち、パーソナル・ポータルサイト５７上で入力した）ＵＲＬをＵＲＬ−ＤＢ５２にユーザ毎に蓄積する機能を備えている。また、ＵＲＬ蓄積エンジン５１は、ＵＲＬをＵＲＬ−ＤＢ５２に蓄積する際に、その蓄積するＵＲＬのカテゴリーを分類し、そのカテゴリーデータをユーザ毎に蓄積する機能を備えている。
【００２３】
ここで、ＵＲＬは、｛スキーム：ホスト名．属性レベル．トップレベル｝というフォーマット形式である。スキームは、例えばｈｔｔｐ，ｆｔｐ，ｎｅｗｓ等のプロトコル形式を表し、ホスト名は、最終コンテンツが存在するホスト名を表し、属性レベルは、例えばｃｏ，ｏｒ等の企業、学術等を表し、トップレベルは、例えばｊｐ等の国を表わす。
【００２４】
また、ＵＲＬ−ＤＢ５２にユーザ毎に蓄積されるカテゴリーデータのデータ形式は、［ホスト名，検索頻度，カテゴリー］という表データ形式である。図２は、そのようなカテゴリーデータの具体例を示すイメージ図である。図２に示すように、カテゴリーデータは、例えばＮｉｋｋｅｉ，ａｓａｈｉなどのホスト名に対応するカテゴリーが「ニュース」であり、そのカテゴリーの検索頻度が１０となっている。従って、ユーザが、「ニュース」のカテゴリーのＵＲＬ（ホームページ）に１０回アクセス（検索）したことを示している。
【００２５】
ＵＲＬ分析エンジン５３は、ＵＲＬ−ＤＢ５２にユーザ毎に蓄積されているＵＲＬからユーザの検索頻度の高いホームページのＵＲＬを抽出するとともに、ＵＲＬ−ＤＢ５２にユーザ毎に蓄積されているカテゴリーデータの検索頻度の最も数値の大きいカテゴリー（図２の例では、スポーツ）をユーザ指向カテゴリーとして抽出する機能を備えている。
【００２６】
企業広告ＤＢ５４は、カテゴリー別に広告データ及び広告主のデータを蓄積するものである。即ち、企業広告ＤＢ５４に蓄積されているデータ形式は、［カテゴリー，広告データ，広告主］である。広告カウンタＤＢ５５は、広告主及び広告データ毎に、掲載カウンタのカウント値及び広告データのヒット数のデータを蓄積するものである。即ち、広告カウンタＤＢ５５に蓄積されているデータ形式は、［広告主，広告データ，掲載カウント値，ヒット数］である。
【００２７】
パーソナル・ポータルサイト作成エンジン５６は、ＵＲＬ分析エンジン５３で抽出されたＵＲＬをマッピングするとともに、ＵＲＬ分析エンジン５３で抽出されたユーザ指向カテゴリーに対応した企業広告ＤＢ５４に蓄積されている広告データをマッピングすることにより、パーソナル・ポータルサイト５７を作成する機能を備えている。
【００２８】
図３は、パーソナル・ポータルサイト作成エンジン５６が作成するパーソナル・ポータルサイト５７のスキーマを示す図である。パーソナル・ポータルサイト５７のスキーマ（データ構造）は、図３に示すように、固定領域、ＵＲＬ編集領域及びバナー広告領域から構成されている。固定領域は、キーワードで検索などを行う汎用検索エンジンや固定リンクなどが掲載される領域である。ＵＲＬ編集領域は、上記したように、ＵＲＬ分析エンジン５３で抽出されたＵＲＬをマッピングする領域である。バナー広告領域は、上記したように、ＵＲＬ分析エンジン５３で抽出されたユーザ指向カテゴリーに対応した企業広告ＤＢ５４に蓄積されている広告データをマッピングする領域である。
【００２９】
次に、動作について説明する。
図４は、本発明のポータルサイト提供システムの動作（ポータルサイト提供方法）を説明するためのシーケンス図である。
ユーザは、パーソナル・ポータルサイト５７の提供を受けるための前提として、ポータルサイト提供事業者に登録しておく必要がある。ポータルサイト提供事業者への登録は、ユーザが、インターネットサービスプロバイダとの契約時に、ポータルサイト事業者の事業者端末５にパーソナル・ポータルサイト５７の設定をすることが考えられる。
【００３０】
このように、ユーザがポータルサイト提供事業者に登録することにより、ＵＲＬ−ＤＢ５２にユーザ用のＵＲＬ及びカテゴリーデータを蓄積する領域が確保され、パーソナル・ポータルサイト作成エンジン５６は、そのユーザにマッチしたパーソナル・ポータルサイト５７を作成する。
【００３１】
図４に戻ると、ユーザがホームページを参照しようとする場合、ユーザは、ユーザ端末１のＷｅｂブラウザを操作してパスワードの入力などを行うことによって、アクセス網２を介してＩＳＰ３にアクセスすると（ステップＳＴ１）、ユーザ端末１は、ＩＳＰ３に接続され、ＩＳＰ３からインターネット４を介して事業者端末５にアクセスされる（ステップＳＴ１）。
【００３２】
事業者端末５は、ユーザ端末１からのアクセスがあると、ＵＲＬ分析エンジン５３によって、アクセスしてきたユーザの指向を分析する（ステップＳＴ２）。ユーザ指向の分析は、ＵＲＬ分析エンジン５３によってＵＲＬ−ＤＢ５２に蓄積されているデータに基づいて行われる。
【００３３】
即ち、ＵＲＬ分析エンジン５３は、ＵＲＬ−ＤＢ５２にユーザ毎に蓄積されているＵＲＬから検索頻度の高いＵＲＬを抽出し、またＵＲＬ−ＤＢ５２にユーザ毎に蓄積されているカテゴリーデータの検索頻度の最も数値の大きいカテゴリー（図２の例では、スポーツ）をユーザ指向カテゴリーとして抽出する。ＵＲＬ分析エンジン５３は、抽出したＵＲＬ及びユーザ指向カテゴリーをパーソナル・ポータルサイト作成エンジン５６に出力する。
【００３４】
尚、ＵＲＬ分析エンジン５３は、ＵＲＬ−ＤＢ５２にデータが何も存在しない場合（ユーザがパーソナル・ポータルサイト５７でホームページ検索を未だ行ったことがない場合）は、その旨の情報をパーソナル・ポータルサイト作成エンジン５６に出力する。
【００３５】
パーソナル・ポータルサイト作成エンジン５６は、ＵＲＬ分析エンジン５３から出力されたユーザ指向の分析結果である抽出ＵＲＬ及びユーザ指向カテゴリーに基づいて、個々のユーザ指向にマッチしたパーソナル・ポータルサイト５７を作成する（ステップＳＴ３）。
【００３６】
図３に示したように、パーソナル・ポータルサイト５７のスキーマは、固定領域、ＵＲＬ編集領域及びバナー広告領域に分かれている。パーソナル・ポータルサイト作成エンジン５６は、固定領域については、システム固定でありユーザ毎に変化させずに、汎用検索エンジンや固定リンクなどを掲載し、ＵＲＬ編集領域については、ＵＲＬ分析エンジン５３から出力された抽出ＵＲＬをその検索頻度の高い順にカテゴリー毎に編集し、その編集したＵＲＬ（編集ＵＲＬ表示）をマッピングし、バナー広告領域については、ＵＲＬ分析エンジン５３で抽出されたユーザ指向カテゴリーに対応した企業広告ＤＢ５４に蓄積されている広告データを編集し、その編集した広告データ（編集広告データ）をマッピングする。
【００３７】
パーソナル・ポータルサイト作成エンジン５６が企業広告ＤＢ５４に蓄積されている広告データをパーソナル・ポータルサイト５７のバナー広告領域にマッピングするとき、広告カウンタＤＢ５５は、そのマッピングする広告データに対応する広告主の該当広告データの掲載カウンタをインクリメントする（広告カウンタＤＢ５５の掲載カウント値が＋１となる）。
【００３８】
尚、ユーザによるパーソナル・ポータルサイト５７の使用（検索）が進んだ場合は、ＵＲＬ−ＤＢ５２にＵＲＬ及びカテゴリーデータがユーザ毎に蓄積されているので、ＵＲＬ分析エンジン５３が検索頻度の高いＵＲＬを抽出するとともに、カテゴリーデータからユーザ指向カテゴリーを抽出することができるが、ユーザが初めてパーソナル・ポータルサイト５７を使用する場合は、ＵＲＬ−ＤＢ５２にＵＲＬ及びカテゴリーデータが蓄積されていないので、パーソナル・ポータルサイト作成エンジン５６がユーザにマッチしたパーソナル・ポータルサイト５７を作成できない。
【００３９】
そこで、パーソナル・ポータルサイト作成エンジン５６は、デフォルトポータルサイト（初めて作成されるポータルサイト）を備えており、ユーザが始めてパーソナル・ポータルサイト５７を使用する場合は、ＵＲＬ分析エンジン５３から出力されるＵＲＬが存在しない旨の情報に基づいて、デフォルトポータルサイトをユーザに提供する。
【００４０】
図３に示すように、デフォルトポータルサイトは、固定領域ではパーソナル・ポータルサイト５７と変わらないが、ＵＲＬ編集領域では予め決められた固定ＵＲＬが表示され、バナー広告領域でも予め決められた固定広告データが表示される。
【００４１】
事業者端末５は、パーソナル・ポータルサイト作成エンジン５６がパーソナル・ポータルサイト５７を作成すると、そのパーソナル・ポータルサイト５７をユーザ端末１に対して送信する（ステップＳＴ４）。
【００４２】
ユーザ端末１は、インターネット４及びアクセス網２を介してパーソナル・ポータルサイト５７を受信し（ステップＳＴ５）、そのパーソナル・ポータルサイト５７を画面上に表示する。
【００４３】
ユーザは、従来のポータルサイトと同様に固定領域に表示されている汎用検索エンジンでホームページを検索することができることに加えて、編集ＵＲＬ領域に表示されているＵＲＬでホームページにアクセスすることもできる。その結果、ユーザが参照したいホームページに直ちにアクセスすることができ、ＵＲＬの絞り込み時間（アクセス時間、検索時間）を短縮することができる。また、バナー広告領域には、ユーザ指向にマッチした企業広告が掲載されているので、ユーザの関心をひくことができ、広告宣伝効果を向上させることができる。
【００４４】
ユーザは、ホームページを参照する場合に、パーソナル・ポータルサイト５７上でクリックするなどしてＵＲＬを発行（入力）すると、その発行されたＵＲＬが事業者端末５に対して送信される（ステップＳＴ６）。
【００４５】
事業者端末５は、ユーザ端末１から送信されたＵＲＬをアクセス網２及びインターネット４を介して受信すると、事業者端末５のＵＲＬ蓄積エンジン５１が、その受信したＵＲＬを取得し、そのＵＲＬをＵＲＬ−ＤＢ５２にユーザ毎に蓄積する（ステップＳＴ７）。
【００４６】
ここで、ＵＲＬ蓄積エンジン５１は、ＵＲＬをＵＲＬ−ＤＢ５２にユーザ毎に蓄積する際に、ＵＲＬからホスト名を取り出し、そのホスト名に対応するＵＲＬ−ＤＢ５２内のカテゴリーデータのカテゴリーを判別する。例えば、ＵＲＬのホスト名が「ａｓａｈｉ」であった場合、その「ａｓａｈｉ」に対応するＵＲＬ−ＤＢ５２内のカテゴリーデータのカテゴリーは、「ニュース」であると判別する。そして、ＵＲＬ蓄積エンジン５１は、その判別したカテゴリーに対応する検索頻度をインクリメント（＋１）するとともに、カテゴリー別にＵＲＬをＵＲＬ−ＤＢ５２にユーザ毎に蓄積する。
【００４７】
一方、ＵＲＬ蓄積エンジン５１は、ＵＲＬから取り出したホスト名がＵＲＬ−ＤＢ５２に蓄積されているカテゴリーデータのホスト名に存在しないと判断した場合は、そのホスト名をＵＲＬ分析エンジン５３に渡し、カテゴリーの分析を依頼する。ＵＲＬ分析エンジン５３は、そのホスト名をサーチし、そのホスト名に対応するカテゴリーを判断し、その判断結果をＵＲＬ−ＤＢ５２に蓄積する（その判断結果のカテゴリーの検索頻度をインクリメント（＋１）する）。
【００４８】
このようにＵＲＬ−ＤＢ５２に蓄積されたＵＲＬ及びカテゴリーデータは、上記したように、ＵＲＬ分析エンジン５３のユーザ指向の分析（ステップＳＴ２）の対象となり、また、パーソナル・ポータルサイト作成エンジン５６によるパーソナル・ポータルサイト５７のＵＲＬ編集領域の基礎となる。
【００４９】
ユーザは、パーソナル・ポータルサイト５７のバナー広告領域に掲載されている企業広告を参照するために、その企業広告をクリックするなどしてヒットすると、そのヒットしたデータが事業者端末５に送信される（ステップＳＴ８）。
【００５０】
事業者端末５の広告カウンタＤＢ５５は、ユーザ端末１からアクセス網２及びインターネット４を介して送信された企業広告のヒットのデータを受信すると、それをカウントする（ヒット数のカウンタのカウント値をインクリメントする）（ステップＳＴ９）。
【００５１】
広告カウンタＤＢ５５は、上記したように、パーソナル・ポータルサイト５７の作成時（ステップＳＴ３）に、企業広告ＤＢ５４の広告データをパーソナル・ポータルサイト５７のバナー広告領域に掲載した回数を掲載カウンタでカウントするとともに、パーソナル・ポータルサイト５７上の広告データのヒット数をカウント（ステップＳＴ９）するので、これら掲載カウント値及びヒット数に基づいて、従量制の広告掲載契約を行うことができる。
【００５２】
即ち、従来は、ポータルサイトに企業広告を掲載する契約は、一定期間（１週間、１月など）単位の固定料金の定額料金契約だけであったが、掲載カウント値及びヒット数に応じて広告掲載料金を変動させる従量制契約とすることが可能となる。
【００５３】
尚、従量制の契約料金の決める方法はこれに限るものではなく、掲載カウント値だけに応じて変動させることもでき、またヒット数だけに応じて変動させることもできる。
【００５４】
以上のように、この実施の形態によれば、ユーザ、ポータルサイト提供事業者、及び広告掲載企業のそれぞれの立場から次のような効果を奏する。
（１）ユーザにとっては、統計的に検索頻度（アクセス頻度）の高いホームページのＵＲＬのリンクがパーソナル・ポータルサイト５７上のＵＲＬ編集領域に提供されるため、従来のように、ユーザがＷｅｂブラウザのＵＲＬ登録機能などを用いて意図的にＵＲＬの管理を行う必要がなくなり、また、最終目的のホームページへのアクセス時間（到達時間、検索時間）も短縮される。
【００５５】
また、ユーザ指向に合った企業広告もパーソナル・ポータルサイト５７上のバナー広告領域に提供されるため、参照ホームページのＵＲＬが未知又は曖昧な場合でも、その掲載企業広告が最終目的のホームページである確立が高く、その結果、一層、最終目的のホームページへのアクセス時間が短縮される
【００５６】
（２）ポータルサイト提供事業者にとっては、ユーザに対してパーソナル・ポータルサイト５７を提供することで、ユーザの利便性を向上させたことにより、契約ユーザの増加を見込むことができる。
【００５７】
また、パーソナル・ポータルサイト５７への掲載広告をユーザ指向に合わせることが可能であるため、ユーザ指向のきめ細やかなカテゴライズにより、幅広い業種の企業から広告掲載契約を得ることができる。
【００５８】
また、パーソナル・ポータルサイト５７への広告掲載契約料金を定額制でなく、広告掲載回数（掲載カウント値）及びそのヒット数に応じた従量制とすることができるため、契約料金を定額にすることも可能となり、大企業だけでなく、ニッチ的な中小企業などの一層幅広い業種の企業から広告掲載契約を得ることができる。
【００５９】
（３）広告掲載企業にとっては、パーソナル・ポータルサイト５７上のバナー広告領域にユーザ指向に合った企業広告が掲載されるため、大きな広告宣伝効果を期待することができる。
【００６０】
また、広告掲載回数及びそのヒット数に応じた従量制の契約とすることも可能なため、ニッチ的な中小企業でも低額の料金で契約することもでき、また契約料金に見合った広告宣伝効果も期待できる。
【００６１】
【発明の効果】
本発明によれば、ポータルサイト提供方法を、パーソナル・ポータルサイト作成エンジンが、ＵＲＬ分析エンジンで抽出されたＵＲＬを検索頻度が高い順にカテゴリー毎にマッピングすることにより、パーソナル・ポータルサイトを作成するように構成したので、ユーザにとってＵＲＬの管理を行う必要がなくなり、また、最終目的のホームページへのアクセス時間を短縮することができる。
【００６２】
ＵＲＬ分析エンジンが、カテゴリーデータにおけるアクセス頻度の数値が最も大きいカテゴリーをユーザ指向カテゴリーとして抽出し、パーソナル・ポータルサイト作成エンジンが、パーソナル・ポータルサイト作成処理で、ユーザ指向カテゴリーに対応した企業広告データベースに蓄積されている広告データをマッピングするように構成されている場合には、ユーザ個々の指向に合った企業広告を掲載することができ、企業広告の広告宣伝効果を向上させることができる。
【００６３】
広告カウンタデータベースが、パーソナル・ポータルサイト作成エンジンによるパーソナル・ポータルサイトの作成時に、企業広告データベースの広告データをパーソナル・ポータルサイトに掲載した回数を掲載カウンタでカウントするとともに、パーソナル・ポータルサイト上の広告データのヒット数をカウンタでカウントするように構成されている場合には、掲載回数及びヒット数に応じた従量制の契約とすることが可能となり、中小企業などの幅広い業種の企業から広告掲載契約を得ることができる。
【００６４】
パーソナル・ポータルサイト作成エンジンが、汎用検索エンジンの表示領域である固定領域と、ＵＲＬ分析エンジンで抽出されたＵＲＬを表示する編集ＵＲＬ領域とを含むデータ構造のパーソナル・ポータルサイトを作成するように構成されている場合には、固定領域に表示されている汎用検索エンジンでホームページを検索することができることに加えて、編集ＵＲＬ領域に表示されているＵＲＬでホームページにアクセスすることもできる。その結果、ユーザが参照したいホームページに直ちにアクセスすることができ、ＵＲＬの絞り込み時間（アクセス時間、検索時間）を短縮することができる。
【００６５】
本発明によれば、ポータルサイト提供端末装置を、ＵＲＬ分析エンジンで抽出されたＵＲＬを検索頻度が高い順にカテゴリー毎にマッピングすることにより、パーソナル・ポータルサイトを作成するパーソナル・ポータルサイト作成エンジンを備えた構成にしたので、ユーザにとってＵＲＬの管理を行う必要がなくなり、また、最終目的のホームページへのアクセス時間を短縮することができる。
【００６６】
ＵＲＬ分析エンジンが、カテゴリーデータにおけるアクセス頻度の数値が最も大きいカテゴリーをユーザ指向カテゴリーとして抽出し、パーソナル・ポータルサイト作成エンジンが、パーソナル・ポータルサイトを作成する際に、ＵＲＬ分析エンジンで抽出されたユーザ指向カテゴリーに対応した企業広告データベースに蓄積されている広告データをマッピングするように構成されている場合には、ユーザ個々の指向に合った企業広告を掲載することができ、企業広告の広告宣伝効果を向上させることができる。
【００６７】
パーソナル・ポータルサイト作成エンジンによるパーソナル・ポータルサイトの作成時に、企業広告データベースの広告データをパーソナル・ポータルサイトに掲載した回数を掲載カウンタでカウントし、また、パーソナル・ポータルサイト上の広告データのヒット数をカウンタでカウントする広告カウンタデータベースをも備えている場合には、掲載回数及びヒット数に応じた従量制の契約とすることが可能となり、中小企業などの幅広い業種の企業から広告掲載契約を得ることができる。
【図面の簡単な説明】
【図１】  本発明のポータルサイト提供システムの構成を示すブロック図である。
【図２】  カテゴリーデータの具体例を示すイメージ図である。
【図３】  パーソナル・ポータルサイトのスキーマを示す図である。
【図４】  本発明のポータルサイト提供方法を説明するためのシーケンス図である。
【符号の説明】
１  ユーザ端末
５  事業者端末（ポータルサイト提供端末装置）
５１  ＵＲＬ蓄積エンジン
５２  ＵＲＬ−ＤＢ（ＵＲＬデータベース）
５３  ＵＲＬ分析エンジン
５４  企業広告ＤＢ（企業広告データベース）
５５  広告カウンタＤＢ（広告カウンタデータベース）
５６  パーソナル・ポータルサイト作成エンジン
５７  パーソナル・ポータルサイト
【図１】
0004025489.tif 000002
【図２】
0004025489.tif 000003
【図３】
0004025489.tif 000004
【図４】
0004025489.tif 000005